(57)【要約】【課題】競争開始後に着順予想をして投票券を購入することによる優性及び劣性を高めると共に、投票券の購買意欲を高めることを目的とする。【解決手段】投票券購入システムは、３以上の競争体による競争競技（レース）に対する投票券の購入を受け付けるものであり、レース開始後に情報処理端末を介して投票券の購入を受け付け、レース開始からの経過時間に基づいて、投票券の配当倍率を時間変化させる。投票券購入システムは、レース開始後でも投票券の購入を受け付けるので、投票券に対するユーザの購買意欲を高めることができ、レース開始からの経過時間に基づいて投票券の配当倍率を時間変化させるので、レース開始後に着順予想をして投票券を購入することによる優性及び劣性を高めることができる。【選択図】図５
2019032648.tif 000002
【特許請求の範囲】
【請求項１】
３以上の競争体による競争競技に対する投票券の購入を受け付ける情報処理装置であって、
前記競争競技の開始後に情報処理端末を介して前記投票券の購入を受け付ける投票券購入受付手段と、
前記競争競技の開始からの経過時間に基づいて、前記投票券の配当倍率を時間変化させる配当倍率算出手段と、
を備える情報処理装置。
【請求項２】
前記競争体に対応する競争体画像を、前記競争競技の開始後における前記配当倍率に基づいて配列して前記情報処理端末に表示させる表示制御手段
を備える請求項１記載の情報処理装置。
【請求項３】
前記表示制御手段は、前記配当倍率が相対的に高い前記競争体に対応する前記競争体画像を強調表示させる請求項２記載の情報処理装置。
【請求項４】
前記配当倍率が相対的に高い前記競争体の前記投票券を購入し、勝利した前記競争体を的中させたユーザに対して、前記配当倍率に応じた配当と共に報酬を付与する報酬付与手段を備える請求項１から請求項３の何れか１項記載の情報処理装置。
【請求項５】
前記投票券購入受付手段は、複数の前記競争体の着順予想に応じた前記投票券をユーザが購入する場合、前記競争競技の開始前に複数の前記競争体の一部を予想し、前記競争競技の開始後に残りを予想した前記投票券の購入を受け付ける請求項１から請求項４の何れか１項記載の情報処理装置。
【請求項６】
前記配当倍率算出手段は、前記競争競技の開始後に予想した前記競争体の数に応じて前記配当倍率を変化させる請求項５記載の情報処理装置。
【請求項７】
前記競争競技の開始前に複数の前記競争体の順位の一部を予想し、前記競争競技の開始後に残りを予想して前記投票券を購入し、勝利した前記競争体を的中させたユーザに対して、前記配当倍率に応じた配当と共に報酬を付与する報酬付与手段
を備える請求項５又は請求項６記載の情報処理装置。
【請求項８】
前記競争競技の終了前の所定時間内に前記投票券を購入し、勝利した前記競争体を的中させたユーザに対して、前記配当倍率に応じた配当と共に罰則を付与する罰則付与手段
を備える請求項１から請求項７の何れか１項記載の情報処理装置。
【請求項９】
前記配当倍率算出手段は、前記競争競技の開始からの前記経過時間に応じて、興行主の取り分の割合を示す控除率を上昇させる請求項１から請求項８の何れか１項記載の情報処理装置。
【請求項１０】
３以上の競争体による競争競技に対する投票券の購入を受け付ける投票券購入方法であって、
前記競争競技の開始後に情報処理端末を介して前記投票券の購入を受け付ける第１工程と、
前記競争競技の開始からの経過時間に基づいて、前記投票券の配当倍率を時間変化させる第２工程と、
を有する投票券購入方法。
【請求項１１】
３以上の競争体による競争競技に対する投票券の購入を受け付ける情報処理装置が備えるコンピュータを、
前記競争競技の開始後に情報処理端末を介して前記投票券の購入を受け付ける投票券購入受付手段と、
前記競争競技の開始からの経過時間に基づいて、前記投票券の配当倍率を時間変化させる配当倍率算出手段と、
して機能させるための投票券購入プログラム。
【発明の詳細な説明】
【技術分野】
【０００１】
本発明は、情報処理装置、投票券購入方法、及び投票券購入プログラムに関するものである。
【背景技術】
【０００２】
近年、３以上の競争体による競争競技に対する投票券の購入を、携帯端末を介して可能とするシステムの開発が進んでいる。この競争競技とは、例えば、競馬、競輪、競艇、又はオートレース等である。
【０００３】
特許文献１には、競馬、競艇、競輪等において競技実施中の投票を可能にする投票システムが開示されている。
【０００４】
また、特許文献２には、野球の競技を観戦しながら楽しめる勝敗予想ゲームであって、接続端末から勝敗予想を何度でも投票させ、時々刻々変化する配当倍率を掲示しつつ、競技終了後的中した場合には競技時間の区間ごとに配当を計算、区間配当の合計を獲得させることで競技の進行に応じて配当の変化を投票者が楽しむことができるものが開示されている。
【０００５】
この特許文献２では、競技開始前の予想的中と競技の趨勢が決まった競技終了間際の予想的中では褒賞には差別をつける必要性が開示されている。そして、特許文献２の勝敗予想ゲームでは、競技を複数の区間に分割し、戦況に応じて獲得する配当を変化させることで最も有効な区間に投票を行なう戦況判断を可能としている。
【先行技術文献】
【特許文献】
【０００６】
【特許文献１】特開２００２−１３３００７号公報
【特許文献２】特開２００９−１４０１８７号公報
【発明の概要】
【発明が解決しようとする課題】
【０００７】
しかしながら、複数の競争体による競争競技では、例えば数分程度の短時間で勝敗が決定する。このため、特許文献２のように、競技を複数の区間に分割して配当を変化させ、それを投票者が瞬時に判断して投票券を購入することは難しく、現実的ではない。
【０００８】
このため、複数の競争体による競争競技において、競争開始後に着順予想をして投票券を購入することによる優性及び劣性を高めると共に、投票券の購買意欲を高める手法の開発が望まれる。
【０００９】
本発明は、このような事情に鑑みてなされたものであって、競争開始後に着順予想をして投票券を購入することによる優性及び劣性を高めると共に、投票券の購買意欲を高めることができる情報処理装置、投票券購入方法、及び投票券購入プログラムを提供することを目的とする。
【課題を解決するための手段】
【００１０】
上記課題を解決するために、本発明の情報処理装置、投票券購入方法、及び投票券購入プログラムは以下の手段を採用する。
【００１１】
上記課題を解決するため、本発明の一態様である「情報処理装置」は、３以上の競争体による競争競技に対する投票券の購入を受け付ける情報処理装置であって、前記競争競技の開始後に情報処理端末を介して前記投票券の購入を受け付ける投票券購入受付手段と、前記競争競技の開始からの経過時間に基づいて、前記投票券の配当倍率を時間変化させる配当倍率算出手段と、を備える。
【００１２】
上記課題を解決するため、本発明の一態様である「投票券購入方法」は、３以上の競争体による競争競技に対する投票券の購入を受け付ける投票券購入方法であって、前記競争競技の開始後に情報処理端末を介して前記投票券の購入を受け付ける第１工程と、前記競争競技の開始からの経過時間に基づいて、前記投票券の配当倍率を時間変化させる第２工程と、を有する。
【００１３】
上記課題を解決するため、本発明の一態様である「投票券購入プログラム」は、３以上の競争体による競争競技に対する投票券の購入を受け付ける情報処理装置が備えるコンピュータを、前記競争競技の開始後に情報処理端末を介して前記投票券の購入を受け付ける投票券購入受付手段と、前記競争競技の開始からの経過時間に基づいて、前記投票券の配当倍率を時間変化させる配当倍率算出手段と、して機能させる。
【００１４】
上記「情報処理装置」には、以下に例示するように、種々の技術的限定を加えてもよい。また、同趣旨の技術的限定を、「投票券購入方法」が実行する処理ステップや「投票券購入プログラム」の機能に加えてもよい。
【００１５】
前記競争体に対応する競争体画像を、前記競争競技の開始後における前記配当倍率に基づいて配列して前記情報処理端末に表示させる表示制御手段を備える。
【００１６】
前記表示制御手段は、前記配当倍率が相対的に高い前記競争体に対応する前記競争体画像を強調表示させる。
【００１７】
前記配当倍率が相対的に高い前記競争体の前記投票券を購入し、勝利した前記競争体を的中させたユーザに対して、前記配当倍率に応じた配当と共に報酬を付与する報酬付与手段を備える。
【００１８】
前記投票券購入受付手段は、複数の前記競争体の着順予想に応じた前記投票券をユーザが購入する場合、前記競争競技の開始前に複数の前記競争体の一部を予想し、前記競争競技の開始後に残りを予想した前記投票券の購入を受け付ける。
【００１９】
前記配当倍率算出手段は、前記競争競技の開始後に予想した前記競争体の数に応じて前記配当倍率を変化させる。
【００２０】
前記競争競技の開始前に複数の前記競争体の順位の一部を予想し、前記競争競技の開始後に残りを予想して前記投票券を購入し、勝利した前記競争体を的中させたユーザに対して、前記配当倍率に応じた配当と共に報酬を付与する報酬付与手段を備える。
【００２１】
前記競争競技の終了前の所定時間内に前記投票券を購入し、勝利した前記競争体を的中させたユーザに対して、前記配当倍率に応じた配当と共に罰則を付与する罰則付与手段を備える。
【００２２】
前記配当倍率算出手段は、前記競争競技の開始からの前記経過時間に応じて、興行主の取り分の割合を示す控除率を上昇させる。
【発明の効果】
【００２３】
本発明によれば、競争開始後に着順予想をして投票券を購入することによる優性及び劣性を高めると共に、投票券の購買意欲を高めることができる、という効果を有する。
【図面の簡単な説明】
【００２４】
【図１】本発明の第１実施形態に係る投票券購入システムの構成図である。
【図２】本発明の第１実施形態に係るサーバの電気的構成を示すブロック図である。
【図３】本発明の第１実施形態に係るサーバの投票券購入機能に関する機能ブロック図である。
【図４】本発明の第１実施形態に係る携帯端末に表示される画像を示す図である。
【図５】本発明の第１実施形態に係る投票券購入処理の流れを示すフローチャートである。
【図６】本発明の第１実施形態に係る配当処理の流れを示すフローチャートである。
【図７】本発明の第２実施形態に係る投票券購入処理の流れを示すフローチャートである。
【発明を実施するための形態】
【００２５】
以下に、本発明に係る情報処理装置、投票券購入方法、及び投票券購入プログラムの一実施形態について、図面を参照して説明する。
【００２６】
［１．第１実施形態］
以下、本発明の第１実施形態について説明する。
【００２７】
［１−１．投票券購入システムの構成］
図１は、本実施形態に係る投票券購入システム１の概略構成図である。投票券購入システム１は、通信回線２、サーバ３、及び携帯端末４を含む。
【００２８】
通信回線２は、コンピュータネットワークを形成するものであり、例えば、電気事業者によって提供される広域通信回線である。
【００２９】
サーバ３は、通信回線２を介して、３以上の競争体による競争競技（以下「レース」ともいう。）に対する投票券の購入を受け付ける情報処理装置である。なお、本実施形態に係る競争競技は、一例として競馬であり、競争体は競走馬、投票券はいわゆる馬券である。なお、３以上の競争体による競争競技は、競馬に限らず、競輪、競艇、又はオートレース等や、陸上競技、自動車レース等であってもよい。
【００３０】
サーバ３は、レースに関する情報、例えば競走馬や騎手、馬場の情報等を必要に応じて他の情報処理装置から受信してもよい。また、サーバ３は、携帯端末４を介してユーザが入力した情報、例えばユーザが購入した投票券に関する情報やユーザＩＤ（identification）等を必要に応じて他の情報処理装置へ送信してもよい。
【００３１】
携帯端末４は、例えば、スマートフォンやタブレット端末、ノートパソコン等の情報処理端末である。携帯端末４は、画像を表示させるディスプレイ４Ａを備える。ユーザは、レースの着順予想を行い、携帯端末４を介して投票券の購入を行う。
【００３２】
携帯端末４は、サーバ３を介してユーザが投票券を購入するために、一例として、専用のアプリケーションソフトウエア（以下「アプリ」という。）がインストールされる。そして、ユーザは、このアプリを携帯端末４で起動させることによって、携帯端末４をサーバ３へアクセスさせる。携帯端末４がサーバ３にアクセスする場合には、予め登録されているユーザＩＤの入力が求められる。
【００３３】
そして、ユーザは、サーバ３にアクセスした携帯端末４を介して投票券を購入し、購入した投票券がレース結果に的中した場合に、ユーザは配当倍率（「オッズ」ともいう。）に基づいた配当を受け取る。なお、投票券の購入は有償であり、配当は一例として金銭で行われる。このため、ユーザＩＤには、決済を行うための、例えばユーザのクレジットカードの番号や銀行口座の番号等が関連付けられる。
【００３４】
［１−２．サーバの構成］
図２は、本実施形態に係るサーバ３の電気的構成を示すブロック図である。
【００３５】
本実施形態に係るサーバ３は、サーバ３全体の動作を司る主制御部であるＣＰＵ（Central Processing Unit）２０、各種プログラム及び各種データ等が予め記憶されたＲＯＭ（Read Only Memory）２２、ＣＰＵ２０による各種プログラムの実行時のワークエリア等として用いられるＲＡＭ（Random Access Memory）２４、各種プログラム及び各種データを記憶する記憶手段としてのＨＤＤ（Hard Disk Drive）２６を備えている。
【００３６】
ＨＤＤ２６は、レースに関する各種情報、ユーザが携帯端末４を介して購入した投票券の情報や登録されているユーザＩＤ等を記憶する。なお、記憶手段は、ＨＤＤ２６に限らず、例えば、フラッシュメモリ等の半導体メモリ等の他の記憶媒体であってもよい。
【００３７】
さらに、サーバ３は、キーボード及びマウス等で構成されて各種操作の入力を受け付ける操作入力部２８、各種画像を表示する例えば液晶ディスプレイ装置等のモニタ３０、通信回線２を介して携帯端末４等の他の情報処理装置等と接続され、他の情報処理装置等との間で各種データの送受信を行う外部インタフェース３２を備えている。
【００３８】
これらＣＰＵ２０、ＲＯＭ２２、ＲＡＭ２４、ＨＤＤ２６、操作入力部２８、モニタ３０、及び外部インタフェース３２は、システムバス３４を介して相互に電気的に接続されている。従って、ＣＰＵ２０は、ＲＯＭ２２、ＲＡＭ２４、及びＨＤＤ２６へのアクセス、操作入力部２８に対する操作状態の把握、モニタ３０に対する画像の表示、並びに外部インタフェース３２を介した他の情報処理装置等との各種データの送受信等を各々行なうことができる。
【００３９】
［１−３．サーバの投票券購入機能］
図３は、本実施形態に係るサーバ３の投票券購入機能に関する機能ブロック図である。
【００４０】
サーバ３が備えるＣＰＵ２０は、端末表示制御部４０、投票券購入受付部４２、配当倍率算出部４４、払戻部４６、プライズ付与部４８、及びペナルティ付与部５０を備える。ＣＰＵ２０が備える各機能は、ＨＤＤ２６に記憶されているプログラムによって実現される。
【００４１】
端末表示制御部４０は、投票券の購入を可能とする各種情報を、外部インタフェース３２を介して携帯端末４に配信し、携帯端末４のディスプレイ４Ａに画像として表示させる。配信される各種情報は、例えば、レースの情報、競走馬毎の情報、騎手の情報、馬場の情報、及び競走馬毎の配当倍率等に関する情報等である。
【００４２】
投票券購入受付部４２は、携帯端末４を介して投票券の購入を受け付ける。本実施形態に係る投票券購入受付部４２は、レース開始前及びレース開始後に携帯端末４を介して投票券の購入を受け付ける。すなわち、本実施形態に係る投票券購入システム１では、ユーザはレース開始後であっても投票券の購入が可能であるため、ユーザによる投票券の購入タイミングの自由度が高められる。なお、投票券購入受付部４２は、ユーザが購入した投票券に対する決済も行う。
【００４３】
なお、本実施形態に係る投票券購入受付部４２は、レース開始前に購入した投票券をレース開始後に変更することはできない。また、投票券購入受付部４２は、単勝だけでなく、複数の競走馬の着順を予想する複勝についても、レース開始後に投票券の受け付けを可能とする。
【００４４】
配当倍率算出部４４は、投票券の種類（単勝や複勝等）毎に配当倍率を算出する。本実施形態に係る配当倍率算出部４４は、レース開始からの経過時間に基づいて、投票券の配当倍率を時間変化させる。本実施形態に係る配当倍率算出部４４は、レース開始からの経過時間が長くなるほど低くなるように配当倍率を時間変化させる。
【００４５】
なお、本実施形態に係る配当倍率算出部４４は、一例として、レース開始からの経過時間に応じて、興行主の取り分の割合を示す控除率（以下「胴元控除率」という。）を上昇させる。すなわち、配当倍率算出部４４は、レース開始後における配当倍率を算出する場合、投票券の種類毎の投票数、投票総数、及び時間変化する胴元控除率に基づいて配当倍率をリアルタイムで算出する。これにより、レース開始後にユーザが購入可能な投票券は、その配当倍率がリアルタイムで変動することになる。
【００４６】
配当倍率の時間変化は、胴元控除率を時間変化させることのみならず、他の基準を時間変化させることで実現してもよい。
【００４７】
払戻部４６は、レース結果を的中させた投票券を購入したユーザに対して、配当倍率に基づいて配当（以下「払い戻し」という。）を行う。
【００４８】
プライズ付与部４８は、配当倍率が相対的に高い競争体の投票券をレース開始後に購入し、勝利した競争体を的中させたユーザに対して、配当倍率に応じた配当と共に報酬（以下「プライズ」という。）を付与する。プライズは、例えば、配当の割り増し、胴元控除率の減少、次回のレースにおける配当の増加等である。
【００４９】
プライズが付与される投票券であるか否かは、プライズ基準を満たしているか否かによって判定される。プライズ基準は、プライズを付与する基準であり、例えば、配当倍率の高い順から所定番目等である。
【００５０】
また、プライズ付与部４８は、より配当倍率が高い競争体の勝利を的中させたユーザに対して、相対的に大きなプライズを付与する。表１の例では、配当倍率が高い順にプライズとして付与される配当の増加率が高く、配当倍率がある程度低いとプライズの付与はない。すなわち、表１の配当倍率の欄に記載されている投票券（配当倍率が最も高い投票券から４番目に高い投票券）がプライズ基準を満たす投票券である。
【００５１】
【表１】
2019032648.tif 000003
【００５２】
ペナルティ付与部５０は、レース終了前の所定時間内に投票券を購入し、勝利した競争体を的中させたユーザに対して、配当倍率に応じた配当と共に罰則（以下「ペナルティ」という。）を付与する。ペナルティは、例えば、胴元控除率の増加、次回のレースにおける投票券の購入不可等である。
【００５３】
ペナルティが付与される投票券であるか否かは、ペナルティ基準を満たしているか否かによって判定される。ペナルティ基準は、ペナルティを付与する基準であり、例えば、レース終了前の所定時間内での投票券の購入等である
【００５４】
また、ペナルティ付与部５０は、よりレース終了に近いタイミングで投票券を購入し、競争体を的中させたユーザに、相対的に大きなペナルティを付与する。表２の例では、投票券の購入タイミングがレース終了に近い順にペナルティとして付与される胴元控除率が高く、投票券の購入タイミングがレース終了からある程度遠いタイミングの場合にはペナルティの付与はない。すなわち、表２のレース終了前の欄に記載されている投票券（レース終了前２０秒から３５秒のうちに購入された投票券）がペナルティ基準を満たす投票券である。
【００５５】
【表２】
2019032648.tif 000004
【００５６】
なお、次回のレースにおける配当の増加や次回のレースにおける投票券の購入不可等、次回のレースに対するプライズやペナルティは、ユーザＩＤに関連付けてサーバ３に記憶される。
【００５７】
［１−４．携帯端末での画像表示］
本実施形態に係る携帯端末４に表示される画像について説明する。
【００５８】
端末表示制御部４０は、図４に示されるように、競争体に対応する競争体画像６０を、レース開始後における配当倍率に基づいて配列して携帯端末４のディスプレイ４Ａに表示させる。なお、図４の例は、競走馬を模した競争体画像６０のデザインが同じであるが、これは一例であり、競争体に応じて異なっていてもよく、競争体画像６０は、実際の競争体の写真であったり、競争体の名称のみであってもよい。なお、図４に記される配当倍率は、競争体毎の単勝の配当倍率である。
【００５９】
図４（Ａ）の例では、配当倍率が相対的に低い競走体に対応する競争体画像６０が、順番を示す数字や競走体の情報（名称、配当倍率）と共に左方向から表示される。そして、レース開始後における配当倍率のリアルタイムな変化と共に、競争体画像６０の並び順もリアルタイムに変化する。すなわち、レース開始後における競走体の配当倍率は、競走体の人気、すなわちレースに勝つ可能性の高い競走体に対応していると考えられる。このため、競争体画像６０の並び順を競争体の配当倍率と同じとすることで、この並び順は、レースに参加している競走体の順位とほぼ一致することになる。
【００６０】
このような画像表示により、ユーザは、レースに参加している競走体の順位を理解し易くなり、購入する投票券の選択も容易になるので、投票券に対するユーザの購買意欲を高めることができる。
【００６１】
また、端末表示制御部４０は、図４（Ｂ）に示すように、配当倍率が相対的に高い、換言すると不人気の競争体に対応する競争体画像６０を強調表示させる。図４（Ｂ）の例では、レースに参加している競争体である競走馬は１２頭であり、配当倍率が相対的に高い最後尾（１２番目）及び最後尾から２番目（１１番目）の競争体画像６０を他の競争体画像６０よりも相対的に大きく表示している。なお、図４（Ｂ）の例では、配当倍率が最も高い最後尾の競争体画像６０が最も大きく表示しているが、例えば、強調表示される競争体画像６０の大きさは何れも同じとしてもよい。
【００６２】
このような強調表示を行う画像表示は、人気の低い競争体へのユーザの関心を惹くことが可能となり、投票券に対するユーザの購買意欲を高めることができる。
【００６３】
なお、強調表示は、図４（Ｂ）に示されるように競争体画像６０の拡大表示のみならず、競争体画像６０の色の変化や点滅等、ユーザの関心を惹くことが可能な表示態様であれば特に限定されない。
【００６４】
また、強調表示を行う競争体の数も限定されない、例えば、最大投票数の競争体に対して所定割合以下の競争体に対応する競争体画像６０に強調表示が行われてもよいし、先頭から２番目の競争体に対応する競争体画像６０から順に強調表示が行われてもよいし、最後尾の競争体に対応する競争体画像６０にのみ強調表示が行われてもよい。
【００６５】
［１−５．レース開始後における投票券購入処理］
図５は、サーバ３が備えるＣＰＵ２０によって実行されるレース開始後における投票券購入処理（以下「レース開始後投票券購入処理」という。）の流れを示すフローチャートである。レース開始後投票券購入処理を実行するためのプログラムはＨＤＤ２６の所定領域に予め記憶されている。レース開始後投票券購入処理は、一例として、レース開始と共に実行される。
【００６６】
まず、ステップ１００では、レース開始からの経過時間に基づいて、配当倍率算出部４４が投票券の配当倍率を時間変化させる。
【００６７】
次のステップ１０２では、ユーザからの携帯端末４を介した投票券の購入を受け付けたか否かを投票券購入受付部４２が判定し、肯定判定の場合にステップ１０４へ移行し、否定判定の場合にステップ１０６へ移行する。
【００６８】
ステップ１０４では、投票券の購入処理を投票券購入受付部４２が行い、ステップ１０６へ移行する。投票券の購入処理は、投票券を購入したユーザのユーザＩＤ、購入した投票券の種類、数、購入したタイミング（レース開始からの経過時間）における配当倍率、及び購入したタイミング等を関連付けてサーバ３のＨＤＤ２６に記憶する処理や、ユーザが購入した投票券に対する決済処理である。
【００６９】
ステップ１０６では、投票券の購入受付期間が終了したか否かを投票券購入受付部４２が判定し、肯定判定の場合は本レース開始後投票券購入処理を終了し、否定判定の場合はステップ１００へ戻り、配当倍率算出部４４が配当倍率の時間変化を引き続き行う。
【００７０】
投票券の購入受付期間は、例えば、レース終了時までとしてもよいし、レース開始からの所定時間経過までとしてもよい。なお、ここでいう所定時間とは、レース終了前の時間であり、この場合、投票券の購入受付期間はレース終了前に終了することになる。
【００７１】
このように、本実施形態に係る投票券購入システム１は、レース開始後でも投票券の購入を受け付けるので、投票券に対するユーザの購買意欲を高めることができる。また、投票券購入システム１は、レース開始からの経過時間に基づいて、投票券の配当倍率を時間変化させるので、レース開始後に着順予想をして投票券を購入することによる優性及び劣性を高めることができる。
【００７２】
［１−６．配当処理］
図６は、サーバ３が備えるＣＰＵ２０によって実行される配当処理の流れを示すフローチャートである。配当処理を実行するためのプログラムはＨＤＤ２６の所定領域に予め記憶されている。配当処理は、一例として、レース終了と共に実行される。なお、図６に示される配当処理は、購入された投票券毎に行われる。
【００７３】
まず、ステップ２００では、ユーザによって購入された投票券が的中したか否か、換言すると本投票券が勝馬投票券であるか否かを払戻部４６が判定する。肯定判定の場合はステップ２０２へ移行し、否定判定の場合は本投票券に対する配当処理を終了する。
【００７４】
ステップ２０２では、勝馬投票券の配当倍率に基づいた払い戻し（払戻処理）を払戻部４６がユーザ（ユーザＩＤ）に対して行う。
【００７５】
次のステップ２０４では、勝馬投票券がプライズ基準を満たすか否かをプライズ付与部４８が判定し、肯定判定の場合はステップ２０６へ移行し、否定判定の場合はステップ２０８へ移行する。
【００７６】
ステップ２０６では、勝馬投票券に応じたプライズを付与するプライズ付与処理をプライズ付与部４８がユーザ（ユーザＩＤ）に対して行い、本勝馬投票券に対する配当処理を終了する。このようなプライズの付与により、人気の低い競争体へのユーザの関心を惹くことが可能となり、投票券に対するユーザの購買意欲を高めることができる。
【００７７】
ステップ２０８では、勝馬投票券がペナルティ基準を満たすか否かをペナルティ付与部５０が判定し、肯定判定の場合はステップ２１０へ移行し、否定判定の場合は本勝馬投票券に対する配当処理を終了する。
【００７８】
ステップ２１０では、勝馬投票券に応じたペナルティを付与するペナルティ付与処理をペナルティ付与部５０がユーザ（ユーザＩＤ）に対して行い、本勝馬投票券に対する配当処理を終了する。このようなペナルティの付与により、勝馬投票券を購入できる可能性が高くなるレース終了に近いタイミングでの投票券の購入を抑制できる。
【００７９】
なお、ステップ２０４及びステップ２０８で否定判定となった勝馬投票券は、プライズ及びペナルティが付与される対象ではない。
【００８０】
以上説明したように、本実施形態に係る投票券購入システム１は、３以上の競争体による競争競技（レース）に対する投票券の購入を受け付けるものであり、レース開始後に携帯端末４を介して投票券の購入を受け付け、レース開始からの経過時間に基づいて、投票券の配当倍率を時間変化させる。
【００８１】
従って、投票券購入システム１は、レース開始後に着順予想をして投票券を購入することによる優性及び劣性を高めると共に、投票券の購買意欲を高めることができる。
【００８２】
なお、本実施形態に係る投票券購入受付部４２は、レース開始前に購入した投票券をレース開始後に変更することは不可としたが、これに限らず、レース開始前に購入した投票券をレース開始後に変更することを可能としてもよい。この場合、投票券の変更は有償で行ったり、投票券の変更に対してペナルティを付与してもよい。この場合のペナルティは、例えば胴元控除率の上昇や次回競争に対する投票券の購入の不可等である。
【００８３】
［２．第２実施形態］
以下、本発明の実施形態について説明する。
【００８４】
本実施形態に係る投票券購入システム１は、ユーザが複数の競走体の着順を予想して投票券を購入する場合、すなわち連複や連単等の複勝の投票券を購入する場合、レース開始前に一部を予想し、レース開始後に残りを予想して投票券を購入することを可能とする。なお、以下の説明において、このような投票券の購入を特殊複勝予想という。
【００８５】
本第２実施形態に係る投票券購入システム１及びサーバ３の構成は、図１，２に示す第１実施形態に係る投票券購入システム１及びサーバ３の構成と同様であるので説明を省略する。
【００８６】
［２−１．サーバの投票券購入機能］
本実施形態に係る投票券購入機能は、図３を参照して説明した第１実施形態に係る投票券購入機能に加え、下記機能を有する。
【００８７】
本実施形態に係る投票券購入受付部４２は、複勝に応じた投票券をユーザが購入する場合、レース開始前に複数の競争体の一部を予想し、レース開始後に残りを予想した投票券の購入の受け付けを可能とする。
【００８８】
例えば、３連複や３連単の着順予想を行う場合、ユーザは、レース開始前に一つ又は二つの競争体を予想した結果（以下「仮予想」という。）を携帯端末４を介してサーバ３に登録し、レース開始後に残りの競争体を予想して投票券を購入する。すなわち、ユーザは、レース開始前に仮予想した競争体は変更することなく、レース開始後に残りの競争体を予想して投票券を購入する。
【００８９】
なお、投票券購入受付部４２は、仮予想の登録を有償で受け付けてもよい。もし、仮予想の登録が無償であると、ユーザは、複数の仮予想を登録し、レース開始後に必要な仮予想のみを選択して残りの競争体を予測して投票券の購入することで投票券の的中率を無償で上昇させることができる。このような行為を、仮予想の登録を有償とすることで抑制することができる。
【００９０】
また、本実施形態に係る配当倍率算出部４４は、特殊複勝予想により投票券が購入された場合、レース開始後に予想した競争体の数に応じて配当倍率を変化させる。
【００９１】
例えば、レース開始前に全ての予想を終了して投票券を購入している場合（従来の購入手法）の係数をＸ１とし、一部のみレース開始後に予想する場合の係数をＸ２とし、全てをレース開始後に決定する場合の係数をＸ３とした場合、下記（１）式に示すように配当倍率を計算する。
１＝Ｘ１＞Ｘ２＞Ｘ３＞０  ・・・（１）
【００９２】
（１）式に示されるように、複勝を予想する場合、レース開始前に全ての競争体を予想した場合の配当倍率を１とすると、レース開始後に予想した競争体の数が多いほど配当倍率が相対的に低くなる。
【００９３】
本実施形態に係るプライズ付与部４８は、特殊複勝予想により投票券を購入し、勝利した競争体を的中させたユーザに対して、配当倍率に応じた配当と共にプライズを付与する。プライズとは、例えば、配当の割り増し、胴元控除率の減少、次回のレースにおける配当の増加等である。また、プライズ付与部４８は、レース開始前に予想した競争体の割合が大きいほど、相対的に大きなプライズをユーザに付与してもよい。
【００９４】
［２−２．連複の投票券購入処理］
図７は、サーバ３が備えるＣＰＵ２０によって実行される特殊複勝予想に関する投票券購入処理の流れを示すフローチャートである。投票券購入処理を実行するためのプログラムはＨＤＤ２６の所定領域に予め記憶されている。投票券購入処理は、一例として、レース開始と共に実行される。
【００９５】
まず、ステップ３００では、レース開始前に、複勝に対する仮予想を受け付けたか否かを投票券購入受付部４２が判定し、肯定判定の場合はステップ３０２へ移行し、否定判定の場合はステップ３０４へ移行する。
【００９６】
ステップ３０２は、受け付けた仮予想に応じた競争体を、投票券購入受付部４２がユーザＩＤに関連付けて登録する仮予想処理を行い、ステップ３０４へ移行する。
【００９７】
ステップ３０４では、レースが開始されたか否かを投票券購入受付部４２が判定し、肯定判定の場合にステップ３０６へ移行する。
【００９８】
次のステップ３０６では、レース開始からの経過時間に基づいて、配当倍率算出部４４が投票券の配当倍率を時間変化させる。
【００９９】
次のステップ３０８では、ステップ３００で受け付けたユーザと同一のユーザから、複勝に対する残りの予想を受け付けたか否かを投票券購入受付部４２が判定し、肯定判定の場合にステップ３１０へ移行し、否定判定の場合にステップ３１２へ移行する。
【０１００】
ステップ３１０では、ステップ３０２で登録した一部の予想とステップ３０８で受け付けた残りの予想とを組み合わせた複勝の投票券の購入処理を投票券購入受付部４２行い、ステップ３１２へ移行する。
【０１０１】
ステップ３１２では、投票券の購入受付期間が終了したか否かを投票券購入受付部４２が判定し、肯定判定の場合は本投票券購入処理を終了し、否定判定の場合はステップ３０６へ戻り、配当倍率の時間変化を行う。
【０１０２】
以上説明したように、本実施形態に係る投票券購入システム１は、複勝の投票券をユーザが購入する場合、レース開始前に複数の競争体の一部を予想し、レース開始後に残りを予想した投票券の購入を受け付けるので、投票券に対するユーザの購買意欲を高めることができる。
【０１０３】
［３．他の実施形態］
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【０１０４】
例えば、上記各実施形態では、プライズ付与部４８及びペナルティ付与部５０を備える形態について説明したが、本発明は、これに限定されるものではなく、プライズ付与部４８及びペナルティ付与部５０を備えない形態としてもよい。
【０１０５】
また、上記各実施形態で説明した各種処理の流れも一例であり、本発明の主旨を逸脱しない範囲内において不要なステップを削除したり、新たなステップを追加したり、処理順序を入れ替えたりしてもよい。
【符号の説明】
【０１０６】
３    サーバ（情報処理装置）
４    携帯端末（情報処理端末）
４０  端末表示制御部（表示制御手段）
４２  投票券購入受付部（投票券購入受付手段）
４４  配当倍率算出部（配当倍率算出手段）
４８  プライズ付与部（報酬付与手段）
５０  ペナルティ付与部（罰則付与手段）
【図１】
2019032648.tif 000005
【図２】
2019032648.tif 000006
【図３】
2019032648.tif 000007
【図４】
2019032648.tif 000008
【図５】
2019032648.tif 000009
【図６】
2019032648.tif 000010
【図７】
2019032648.tif 000011